(57)【要約】      （修正有）【課題】  連続して送信された電子メールや、添付ファイル付きの電子メールを送信者単位でまとめて印刷する。【解決手段】  受信した電子メールのヘッダを解析するヘッダ解析手段と、上記解析したヘッダの送信者が同じ電子メールを連続で出力する連続出力手段と、を有する電子メール印刷が行える画像形成装置の構成とする。更に、電子メールを連続で出力する場合に、ヘッダの送信時間の昇順、もしくは降順に行う。同じく、印刷設定もしくは仕上げ設定を行って出力する。【選択図】  図１
2006142558.tif 000002
【特許請求の範囲】
【請求項１】
電子メール印刷が行える画像形成装置であって、受信した電子メールのヘッダを解析するヘッダ解析手段と、上記解析したヘッダの送信者が同じ電子メールを連続で出力する連続出力手段と、を有することを特徴とする画像形成装置。
【請求項２】
上記連続出力手段は、ヘッダの送信時間の昇順、もしくは降順に行うことを特徴とする請求項１に記載の画像形成装置。
【請求項３】
上記連続出力手段は、印刷設定もしくは仕上げ設定を行って出力することを特徴とする請求項１ないし請求項２に記載の画像形成装置。
【請求項４】
上記連続出力手段は、印刷設定および仕上げ設定を行って出力することを特徴とする請求項１ないし請求項２に記載の画像形成装置。
【発明の詳細な説明】
【技術分野】
【０００１】
本発明は、電子メール印刷を行う場合に、電子メールのヘッダ情報を解析し、上記解析情報に基づいて印刷を行う画像形成装置に関するものである。
【背景技術】
【０００２】
従来、出力装置宛てに電子メールを送信して印刷データを印刷する方法があった。例えば、電子メールに印刷データを添付して送信し、その添付データを印刷することもできた。
【０００３】
又、別の従来例としては、宛先の数が多いときでも、各宛先に用件を至急に伝えることが可能なリング型同報送信を実行することができるファクシミリ装置（特許文献１）をあげることが出来る。
【特許文献１】特開２００１−３２６７９９号公報
【発明の開示】
【発明が解決しようとする課題】
【０００４】
しかしながら、複数の電子メールを連続して送信し、かつ同じ出力装置に対して他の人も同時に電子メールを送信していた場合、連続して送信した印刷ジョブに他の人の印刷ジョブが割り込むことがあった。また、印刷データを添付して送信した場合、電子メールの本文と添付データの間に他のジョブが割り込むこともあった。
【課題を解決するための手段】
【０００５】
上述した課題を解決するために、本発明の電子メール印刷が行える画像形成装置は、受信した電子メールのヘッダを解析するヘッダ解析手段と、上記解析したヘッダの送信者が同じ電子メールを連続で出力する連続出力手段と、を有することを特徴とする。
【０００６】
上述した課題を解決するために、本発明の電子メール印刷が行える画像形成装置は、電子メールを連続で出力する場合に、ヘッダの送信時間の昇順、もしくは降順に行うことを特徴とする。
【０００７】
上述した課題を解決するために、本発明の電子メール印刷が行える画像形成装置は、電子メールを連続で出力する場合に、印刷設定もしくは仕上げ設定を行って出力することを特徴とする。
【発明の効果】
【０００８】
本発明の電子メール印刷が行える画像形成装置は、受信した電子メールのヘッダを解析するヘッダ解析手段と、上記解析したヘッダの送信者が同じ電子メールを連続で出力する連続出力手段とを有することにより、連続して送信された電子メールや、添付ファイル付きの電子メールを送信者単位でまとめて印刷することが可能となり、ユーザがメールの仕分けをする必要もなく、またユーザが誤って他の人の印刷物を持ち去ることを防ぐことが可能となる。
【０００９】
本発明の電子メール印刷が行える画像形成装置は、電子メールを連続で出力する場合に、ヘッダの送信時間の昇順もしくは降順で出力を行うことにより、ユーザが送信した順に整列して出力することが可能となる。
【００１０】
本発明の電子メール印刷が行える画像形成装置は、電子メールを連続で出力する場合に、印刷設定もしくは仕上げ設定を行って出力することにより、連続して送信された電子メールや、添付ファイル付きの電子メールを送信者単位で印刷設定を施した状態でまとめて印刷することが可能となり、ユーザがメールの仕分けをする必要もなく、またユーザが誤って他の人の印刷物を持ち去ることを防ぐことが可能となる。
【００１１】
本発明の電子メール印刷が行える画像形成装置は、電子メールを連続で出力する場合に、印刷設定および仕上げ設定を行って出力することにより、連続して送信された電子メールや、添付ファイル付きの電子メールを送信者単位で印刷設定を施した状態でまとめて印刷することが可能となり、ユーザがメールの仕分けをする必要もなく、またユーザが誤って他の人の印刷物を持ち去ることを防ぐことが可能となる。
【発明を実施するための最良の形態】
【００１２】
以下、本発明にかかる一実施形態について、図面を参照して詳細に説明する。
【００１３】
図１は、画像形成装置の構成を説明するブロック図である。Ｃｏｎｔｒｏｌｌｅｒ  Ｕｎｉｔ  ２０００は画像入力デバイスであるスキャナ２０７０や画像出力デバイスであるプリンタ２０９５と接続し、一方ではＬＡＮ２０１１や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６は操作部（ＵＩ）２０１２とのインタフェース部で、操作部２０１２に表示する画像データを操作部２０１２に対して出力する。また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。Ｍｏｄｅｍ２０５０は公衆回線２０５１に接続し、情報の入出力を行う。以上のデバイスがシステムバス２００７上に配置される。Ｉｍａｇｅ  Ｂｕｓ  Ｉ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスタイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。プリンタ画像処理部２０９０は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００１４】
画像入出力デバイスを図２に示す。画像入力デバイスであるスキャナ部２０７０は、原稿となる紙上の画像を照明し、ＣＣＤラインセンサ（図示せず）を走査することで、ラスタイメージデータ２０７１として電気信号に変換する。原稿用紙は原稿フィーダ２０７２のトレイ２０７３にセットし、装置使用者が操作部２０１２から読み取り起動指示することにより、コントローラＣＰＵ２００１がスキャナ２０７０に指示を与え（２０７１）、フィーダ２０７２は原稿用紙を１枚ずつフィードし原稿画像の読み取り動作を行う。
【００１５】
画像出力デバイスであるプリンタ部２０９５は、ラスタイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示２０９６によって開始する。プリンタ部２０９５には、異なる用紙サイズまたは異なる用紙向きを選択できるように複数の給紙段を持ち、それに対応した用紙カセット２１０１、２１０２、２１０３がある。また、排紙トレイ２１１１は印字し終わった用紙を受けるものである。
【００１６】
操作部２０１２の構成を図３に示す。ＬＣＤ表示部２０１３は、ＬＣＤ上にタッチパネルシート２０１９が貼られており、システムの操作画面およびソフトキーを表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【実施例１】
【００１７】
前記構成を持つ画像形成装置において、本発明による実施例１を図４を用いて説明する。図４は本発明の画像形成装置の動作を表すフローチャートである。図中の（１）〜（５）は各ステップを表す。
【００１８】
まず、出力装置はメールサーバからポーリングで印刷ジョブを取得する（１）。なお、ステップ（１）では、出力装置がメールサーバから印刷ジョブを取得する方法をポーリング受信することに限定するものではないため、メールサーバが電子メールを受信したときに出力装置に通知し、通知を受け取ってから出力装置が印刷ジョブを取得しても良いし、その他の方法で取得しても良い。
【００１９】
続いて、受信した電子メールのヘッダ部の解析を行う（２）。ここで、ステップ（１）において取得した印刷ジョブの、電子メールのヘッダの一部を図５に示す。図５ではステップ（１）において、４通の電子メールを受信したことを表す。１通目が１００１、２通目が１００２、３通目が１００３、そして４通目が１００４である。
【００２０】
ステップ（３）では、ヘッダの送信者が同じメールをまとめる。まとめた結果、図６の様になる。１００１のＦｒｏｍがａｂｃ１＠ｃｃｄｄｅｅ．ｃｏ．ｊｐ、１００２のＦｒｏｍがａｂｃ１＠ｃｃｄｄｅｅ．ｃｏ．ｊｐ、１００３のＦｒｏｍがａｂｃ２＠ｃｃｄｄｅｅ．ｃｏ．ｊｐ、１００４のＦｒｏｍがａｂｃ１＠ｃｃｄｄｅｅ．ｃｏ．ｊｐであるため、１００３と１００４が入れ替わる。そして図６では、１通目が１００５、２通目が１００６、３通目が１００７、そして４通目が１００８となる。
【００２１】
ステップ（４）では、ヘッダの送信時間順にメールを整列する。整列した結果、図７の様になる。１００５のＤａｔｅがＦｒｉ，  ２７  Ｆｅｂ  ２００４  １３：４４：５１  ＋０９００、１００６のＤａｔｅがＦｒｉ，２７  Ｆｅｂ  ２００４  １３：４４：５１  ＋０９００、１００７のＤａｔｅがＦｒｉ，  ２７  Ｆｅｂ  ２００４  １３：４５：１２  ＋０９００であるため、１００５と１００６が入れ替わる。そして図７では、１通目が１００９、２通目が１０１、３通目が１０１１、そして４通目が１０１２となる。
【００２２】
ステップ（５）では、整列した電子メールに印刷設定および仕上げ設定を施して出力する。例えば、Ｆｒｏｍがａｂｃ１＠ｃｃｄｄｅｅ．ｃｏ．ｊｐのメール１００９〜１０１１を２−ｕｐで面付けし、それをステイプルして出力する。ここでは、面付けおよびステイプルを行ったが、これは印刷設定を面付けに限定するものではないし、仕上げ設定をステイプルに限定するものでもない。また、印刷設定および面付けは、どちらか片方だけを行っても良いし、各々で複数の設定を行っても良いし、全く行わなくても良い。
【図面の簡単な説明】
【００２３】
【図１】画像形成装置の全体構成を示す図。
【図２】画像形成装置の入出力デバイス外観図。
【図３】画像形成装置の操作部外観図。
【図４】本発明の画像形成装置の動作を表すフローチャート。
【図５】電子メールのヘッダを解析した一部。
【図６】電子メールの送信者が同じメールをまとめた図。
【図７】電子メールの送信時間順に整列した図。
【符号の説明】
【００２４】
２０００  Ｃｏｎｔｒｏｌｌｅｒ  Ｕｎｉｔ
２００１  ＣＰＵ
２００２  ＲＡＭ
２００３  ＲＯＭ
２００４  ＨＤＤ
２００５  Ｉｍａｇｅ  Ｂｕｓ  Ｉ／Ｆ
２００６  操作部Ｉ／Ｆ
２００７  システムバス
２００８  画像バス
２０１０  Ｎｅｔｗｏｒｋ
２０１１  ＬＡＮ
２０１２  操作部
２０２０  デバイスＩ／Ｆ
２０３０  画像回転
２０４０  画像圧縮
２０５０  ＭＯＤＥＭ
２０５１  ＷＡＮ
２０６０  ＲＩＰ  （Ｒａｓｔｅｒ  Ｉｍａｇｅ  Ｐｒｏｃｅｓｓｏｒ）
２０７０  スキャナ
２０７２  原稿フィーダ
２０７３  原稿フィーダのトレイ
２０８０  スキャナ画像処理
２０９０  プリンタ画像処理
２０９５  プリンタ
２１０１  用紙カセット
２１０２  用紙カセット
２１０３  用紙カセット
２１１１  排紙トレイ
１００１  １通目に受信した電子メールのヘッダ
１００２  ２通目に受信した電子メールのヘッダ
１００３  ３通目に受信した電子メールのヘッダ
１００４  ４通目に受信した電子メールのヘッダ
１００５  電子メールの送信者をまとめたときの１通目のメール
１００６  電子メールの送信者をまとめたときの２通目のメール
１００７  電子メールの送信者をまとめたときの３通目のメール
１００８  電子メールの送信者をまとめたときの４通目のメール
１００９  電子メールの送信時間順に整列したときの１通目のメール
１０１０  電子メールの送信時間順に整列したときの２通目のメール
１０１１  電子メールの送信時間順に整列したときの３通目のメール
１０１２  電子メールの送信時間順に整列したときの４通目のメール
【図１】
2006142558.tif 000003
【図２】
2006142558.tif 000004
【図３】
2006142558.tif 000005
【図４】
2006142558.tif 000006
【図５】
2006142558.tif 000007
【図６】
2006142558.tif 000008
【図７】
2006142558.tif 000009